(57)【特許請求の範囲】
【請求項１】
複数のストリートを示した地図帳であって、
駅の出入口に、駅の出入口の識別記号と、前記駅の出入口の向きと、を示すとともに、前記複数のストリート毎に、ストリートを表す矢印に、前記ストリートの識別用名称と、前記ストリートが示されているストリートマップのページ番号と、を示した第一の地図ページと、
前記ページ番号に対応したストリートマップのストリートの始点に、前記ストリートの終点の方向を示す矢印と、前記ストリートの始点における前記矢印方向の写真と、を示した第二の地図ページと、
を有することを特徴とする地図帳。
【請求項２】
前記第二の地図ページは、前記ストリートの始点から所定距離ごとにマークを示すことを特徴とする請求項１記載の地図帳。
【請求項３】
前記ストリートの終点を前記第二の地図ページの上側に示し、前記ストリートの始点を前記第二の地図ページの下側に示すことを特徴とする請求項１又は２記載の地図帳。
【請求項４】
目的地に対応した前記駅の出入口の識別記号と当該出入口と目的地との関係に係るコメントとを有するコメント欄を前記第一の地図ページ上に示すことを特徴とする請求項１乃至３何れか一項記載の地図帳。
【請求項５】
前記第二の地図ページ上に、現在地確認用の注目施設の写真を示すことを特徴とする請求項１乃至４何れか一項記載の地図帳。
【発明の詳細な説明】
【０００１】
【発明の属する技術分野】
本発明は、地図に係り、特にストリート又は駅の出入口を表した地図に関する。
【０００２】
【従来の技術】
従来の地図では、地図の上側が北、地図の下側が南として表記されていた。また、従来の地図においては、駅などの出入口の番号は表示されているが、駅から出た場合の方向などは表示されていなかった。
【０００３】
【発明が解決しようとする課題】
しかしながら、従来の地図では自分が進む方向と、手にしている地図の方向とが必ずしも一致しないため、地図を回転させたりして地図の上側を北に合わせて読まなければいけないなど、地図が苦手な人にとっては馴染み難い問題があった。
【０００４】
また、実際の地図では目的とするストリートの始点が何処だか地図を読むのが苦手な人にとっては把握し難い問題があった。
【０００５】
また、駅から出た場合の方向が地図に表記されていないため、駅を出たときの場所は分かるが、駅を出たときの方向が不明なため、目的地へ円滑に到達することができない問題があった。
【０００６】
本発明は、上記の点に鑑みなされたもので、地図が苦手な人でも容易に理解し、目的地に向かうことができる地図を提供することを目的とする。
【０００７】
【課題を解決するための手段】
そこで、上記問題を解決するため、請求項１記載の発明は、複数のストリートを示した地図帳であって、駅の出入口に、駅の出入口の識別記号と、前記駅の出入口の向きと、を示すとともに、前記複数のストリート毎に、ストリートを表す矢印に、前記ストリートの識別用名称と、前記ストリートが示されているストリートマップのページ番号と、を示した第一の地図ページと、前記ページ番号に対応したストリートマップのストリートの始点に、前記ストリートの終点の方向を示す矢印と、前記ストリートの始点における前記矢印方向の写真と、を示した第二の地図ページと、を有することを特徴とする。
【０００８】
請求項１記載の発明によれば、複数のストリートを示した地図帳であって、駅の出入口に、駅の出入口の識別記号と、前記駅の出入口の向きと、を示すとともに、前記複数のストリート毎に、ストリートを表す矢印に、前記ストリートの識別用名称と、前記ストリートが示されているストリートマップのページ番号と、を示した第一の地図ページと、前記ページ番号に対応したストリートマップのストリートの始点に、前記ストリートの終点の方向を示す矢印と、前記ストリートの始点における前記矢印方向の写真と、を示した第二の地図ページと、を有することによって、第一の地図ページで駅の出入口を出たときの位置と方向とが分かるとともに、ストリートの位置や方向を確認し、第二の地図ページでストリートの始点とストリートの方向性とを確認するとともに、ストリートの選択を誤らず且つ容易にストリートの入口を判別することができる。
【０００９】
また、請求項２の発明は、前記第二の地図ページは、前記ストリートの始点から所定距離ごとにマークを示すことを特徴とする。
【００１０】
請求項２の発明によれば、前記第二の地図ページは、前記ストリートの始点から所定距離ごとにマークを示すことによって、ストリートの距離を容易に把握することができる。
【００１１】
請求項３の発明は、前記ストリートの終点を前記第二の地図ページの上側に示し、前記ストリートの始点を前記第二の地図ページの下側に示すことを特徴とする。
【００１２】
請求項３の発明によれば、前記ストリートの終点を前記第二の地図ページの上側に示し、前記ストリートの始点を前記第二の地図ページの下側に示すことによって、ストリートを歩くままに地図面を展開させ、歩きながら簡単に目的を探すことができる。
【００１３】
請求項４の発明は、目的地に対応した前記駅の出入口の識別記号と当該出入口と目的地との関係に係るコメントとを有するコメント欄を前記第一の地図ページ上に示すことを特徴とする。
【００１４】
請求項４の発明によれば、目的地に対応した前記駅の出入口の識別記号と当該出入口と目的地との関係に係るコメントとを有するコメント欄を前記第一の地図ページ上に示すことによって、駅の出口から目的地へスムーズに行くことができる。
【００１５】
請求項５の発明は、前記第二の地図ページ上に、現在地確認用の注目施設の写真を示すことを特徴とする。
【００１６】
請求項５の発明によれば、前記第二の地図ページ上に、現在地確認用の注目施設の写真を示すことによって、現在地を確認することができる。
【００２３】
【発明の実施の形態】
以下、本発明の実施の形態について図面に基づいて説明する。図１は、本発明における地図のストリートマップを説明するための図である。
【００２４】
図１に示すように、本発明におけるストリートマップでは、地図の下側がストリート１００の始点、地図の上側がストリート１００の終点となっており、必ずしも地図の上側が北を向いていない構成となっている。
【００２５】
したがって、ストリート１００を歩くそのままに地図面が展開されるため、歩きながら地図を回して地図の上側を北に向けたりすることなく、簡単に目的地を探すことができる。
【００２６】
また、矢印１０に示すように、ストリート１００の始点にストリート１００の終点の方向を向いたマークを表示している。
【００２７】
ストリート１００の始点と、ストリート１００の方向とを分かりやすいマークで表示しているため、簡単にストリート１００の始点とストリート１００の方向とを認識させることができる。これにより、ストリート１００の選択を誤らず且つ容易にストリート１００の入口を判別することができる。
【００２８】
また、ストリート１００の始点の写真２０に示されるように、ストリート１００の始点には該ストリート１００の始点の写真が表示されている。
【００２９】
現地で目に入る風景がそのまま写真で表示されているため、地図とともに写真でストリート１００の始点を確認することができる。
【００３０】
また、ストリートマップには、カメラマーク３０とカメラマーク３０の表示位置の写真２１とが表示される。
【００３１】
ストリート１００の注目施設やストリート１００の特徴などがカメラマーク３０とともにカメラマーク３０の表示位置の写真２１によって表示されるため、地図とともにカメラマーク３０の表示位置の写真２１によって、現在地を確認しながらストリート１００を歩くことができる。
【００３２】
また、ストリートマップには、ストリート１００の始点を基点として１００ｍごとに足跡マーク４０を表示されている。また、足跡マーク４０の中にはストリート１００の始点を基点とした１００ｍごとの距離が表示されている。
【００３３】
したがって、ストリート１００の距離がどれくらいあるのか距離間隔を簡単に把握しながらストリート１００を歩くことができる。
【００３４】
本発明の地図を有するユーザは、図１に示すストリートマップを見ることによって、ストリート１００の始点を地図とともにストリート１００の始点の写真２０によって確認し、矢印１０の方向に向かって地図面が展開する通りにストリート１００を進むことができる。また、ユーザは、足跡マークによってストリート１００の距離感覚を把握しながらストリート１００を進み、カメラマーク３０とカメラマークの表示位置の写真２１などによって現在歩いているストリート１００を誤りなく進んでいるかを確認することができる。
【００３５】
図２は、図１の実施例を説明するための図である。図２は、銀座４丁目の交差点を始点として、中央通りと銀座桜通りが交差する地点を終点とした中央通りをストリート１００として表示しているストリートマップの一例である。
【００３６】
図２に示すように、本発明におけるストリートマップでは、地図の下側が銀座４丁目の交差点、地図の上側が中央通りの京橋方面となっており、必ずしも地図の上側が北を向いていない構成となっている。なお、説明の簡略化のため、図２における説明においては、図２に示すストリート１００を単に中央通りという。
【００３７】
また、矢印１０に示すように、中央通りの始点に中央通りの終点の方向を向いたマークを表示している。
【００３８】
また、写真２０に示されるように、中央通りの始点には該中央通りの始点の写真が表示されている。
【００３９】
また、ストリートマップには、最寄りの駅の出入口も表示されているため、迷うことなく中央通りにたどりつける。なお、駅とは、私鉄、都営、ＪＲ、飛行場、港などを含むものとする。
【００４０】
また、ストリートマップには、カメラマーク３０とカメラマーク３０の表示位置の写真２１とが表示される。図２の例では、カメラマーク３０の表示位置の写真２１は、松屋銀座の写真である。
【００４１】
また、ストリートマップには、中央通りの始点を基点として１００ｍごとに足跡マーク４０が表示されている。
【００４２】
図２に示されるストリートマップを用いることによって、簡単に目的とする中央通り及び／又は中央通りにある目的地に行くことができる。
【００４３】
図３は、本発明における地図の駅出口ｉｎｆｏｒｍａｔｉｏｎの一例を説明するための図である。
【００４４】
図３に示すように、本発明の地図における駅出口ｉｎｆｏｒｍａｔｉｏｎでは、駅の出入口の番号とともに駅を出たときの人の体の向きを三角の矢印で表示している。
【００４５】
よって、地下鉄などの何度も方向の変わる階段を上りつめて出口を出たときも、自分がどの方向を向いているのかすぐに理解することができる。
【００４６】
また、三角の矢印は、駅の出口の番号とともに表示されているため、現在の位置とともに現在の体の方角を同時に理解することができる。
【００４７】
図４は、図３の実施例を説明するための図である。図４は、銀座周辺の駅とその出口の情報を表示している一例である。
【００４８】
図４に示すように、各々の駅の出入口には、駅の出入口の番号とともに出入口を出たときの体の向きを三角の矢印で表示している。
【００４９】
例えば、図４の松屋のＡ１３出口から出た場合は、場所は松屋の中央通り側で、方向は中央通りを銀座４丁目の交差点から中央通りと銀座桜通りが交差する方向に向いていることがすぐにわかる。
【００５０】
また、駅出口ｉｎｆｏｒｍａｔｉｏｎには、図１及び図２で説明したストリートマップが太線矢印６０で表示されている。
【００５１】
駅出口ｉｎｆｏｒｍａｔｉｏｎを使って、駅を出た場所と体の向きとを確認した本発明の地図を有するユーザは、駅出口ｉｎｆｏｒｍａｔｉｏｎに表示されている太線矢印６０で表示されるストリートマップのページ番号を参考にしてそのページを見ることができる。
【００５２】
例えば、図４の松屋のＡ１３出口から出たユーザは、本発明の地図のｐ７に中央通りのストリートマップが表示されていることをすぐに把握することができる。なお、本発明の地図のｐ７は、図２において説明した中央通りのストリートマップである。
【００５３】
ユーザは、図２において説明したストリートマップを参照しながら目的とする場所まで行くことができる。
【００５４】
また、駅出口ｉｎｆｏｒｍａｔｉｏｎには、目的地に対応した駅の出入口の番号と当該出入口より目的地との関係に係るコメントとが記載されているコメント欄５０が表示されている。
【００５５】
図４に示されるように、コメント欄５０のコメントには例えば、「デバ地下（Ｂ１Ｆ）の“銀座旬鮮館”にはそのまま入れる。」などのデパートや主要施設に最も近い出口の一口情報などが紹介されている。
【００５６】
ユーザは、該情報によって、目的地にもっとも近い駅の出入口から出て、目的地に向かうことができる。また、逆に、今現在いる地点からもっとも近い出入口を探して駅に入ることもできる。
【００５７】
図５は、本発明のおける地図の使用例を説明するための図である。
【００５８】
本発明の地図を有するユーザは、例えば、図５に示す本発明の地図の索引を目視し、目的とするストリート１００を探す。目的とするストリート１００が銀座の中央通り、４丁目交差点から銀座１丁目・京橋方面だった場合、ユーザは本発明の地図のｐ７を参照して目的とするストリート１００へと向かう。なお、上述したように、本発明の地図のｐ７は、図２に対応する。
【００５９】
また、目的とするストリート１００が銀座の中央通り、４丁目交差点から銀座１丁目・京橋方面であって、目的とするストリート１００の近くの駅の出口などがよくわからない場合、ユーザは、図５に示す本発明の地図の索引を目視し、銀座周辺の駅出口ｉｎｆｏｒｍａｔｉｏｎを探す。
【００６０】
銀座周辺の駅出口ｉｎｆｏｒｍａｔｉｏｎは、本発明の地図のｐ３に表示されており、ユーザは、本発明の地図のｐ３を参照する。
【００６１】
本発明の地図のｐ３は、図４に対応し、ユーザは駅の出口の場所と駅を出たときの体の向きとを確認した後、図４の駅出口ｉｎｆｏｒｍａｔｉｏｎに太線矢印６０で表示されている目的とするストリート１００を探す。
【００６２】
目的とするストリート１００が銀座の中央通り、４丁目交差点から銀座１丁目・京橋方面だった場合、ユーザは本発明の地図のｐ７を参照してストリート１００へ行き、目的とする場所へ向かうことができる。
【００６３】
【発明の効果】
上述の如く、本発明によれば地図が苦手な人でも容易に理解し、目的地に向かうことができる地図を提供することができる。
【００６４】
【図面の簡単な説明】
【図１】本発明における地図のストリートマップの一例を説明するための図である。
【図２】図１の実施例を説明するための図である。
【図３】本発明における地図の駅出口ｉｎｆｏｒｍａｔｉｏｎの一例を説明するための図である。
【図４】図３の実施例を説明するための図である。
【図５】本発明における地図の使用例を説明するための図である。
【符号の説明】
１０    矢印
２０    ストリートの始点の写真
２１    カメラマークの表示位置の写真
３０    カメラマーク
４０    足跡マーク
５０    コメント欄
６０    太線矢印
１００    ストリート
【図１】
0003616083.tif 000002
【図２】
0003616083.tif 000003
【図３】
0003616083.tif 000004
【図４】
0003616083.tif 000005
【図５】
0003616083.tif 000006